(57)【要約】【課題】  簡易な構造でありながら種々の用途に適用可能な防寒用のブランケットを提供する。【解決手段】  展開時に略方形をなす形状で形成されたブランケット本体１を備え、止め部材３，４により、少なくとも、両足をまとめて包み込み可能な折り曲げ状態と、両足を個別に二股状態で包み込み可能な折り曲げ状態とを維持可能な構造となっている。一方の止め部材３を用いて、両足をまとめて包み可能な折り曲げ状態で使用すれば、だっこ（おんぶ）紐、ベビーカー又はチャイルドシートにおいて、胴部から足下までを確実に被覆でき、防寒性に優れている。他方の止め部材４を用いて、両足を個別に二股状態で包み込み可能な折り曲げ状態で使用することにより、各足をそれぞれ被覆できるため、両足を開いて乗せる自転車同乗器でも十分な防寒性を発揮できる。【選択図】  図１
2005290653.tif 000002
【特許請求の範囲】
【請求項１】
人体保持具に保持された人を少なくとも一方側から覆うブランケットであって、
展開時に略方形をなす形状で形成されたブランケット本体と、
前記ブランケット本体に設けられ、ブランケット本体の適宜位置から折り曲げた際に、その折り曲げ状態を維持する止め部材とを備え、
前記止め部材が、少なくとも、ブランケット本体を折り曲げた際に両足をまとめて包み込み可能な折り曲げ状態と、ブランケット本体を折り曲げた際に両足を個別に二股状態で包み込み可能な折り曲げ状態とを維持可能な位置に設けられ、少なくとも前記２種類の折り曲げ状態を、使用目的に応じて使い分け可能であることを特徴とするブランケット。
【請求項２】
前記止め部材は、係止部材と被係止部材とを備えて構成され、いずれか少なくとも一方が各折り曲げ状態に対応して複数箇所に設けられ、各折り曲げ状態毎に、折り曲げ部の折り曲げ幅を調整可能であることを特徴とする請求項１記載のブランケット。
【請求項３】
前記両足をまとめて包み込み可能な折り曲げ状態を形成する止め部材が、展開時に略方形のブランケット本体の任意の端縁側に設けられ、該止め部材を形成する係止部材と被係止部材のいずれか一方が、該端縁に沿って設けられ、他方が、該端縁から所定長さ反対側の端縁に寄った位置に対応して設けられていることを特徴とする請求項１又は２記載のブランケット。
【請求項４】
前記両足を個別に二股状態で包み込み可能な折り曲げ状態を形成する止め部材は、該止め部材を形成する係止部材と被係止部材のいずれか一方が、展開時に略方形のブランケット本体の任意の端縁側において、各端部からそれぞれ該端縁に沿って所定長さ中央側に寄った位置に２カ所設けられ、他方が、該端縁に隣接する２つの端縁の一端からそれぞれの端縁に沿って所定長さ中央側に寄った位置に設けられており、
前記任意の端縁側に２カ所に設けられた係止部材と被係止部材のうちの一方と、隣接する２つの端縁側にそれぞれ設けた他方とを、隣接するもの同士で互いに係合させることにより二股の折り曲げ状態を形成可能であることを特徴とする請求項１〜３のいずれか１に記載のブランケット。
【請求項５】
各折り曲げ状態毎に、使用する前記止め部材を区別する識別手段が施されていることを特徴とする請求項１〜４のいずれか１に２記載のブランケット。
【請求項６】
前記ブランケット本体の使用時における上部付近に、前記人体保持具の任意部位に係合可能なずれ落ち防止部材を備えていることを特徴とする請求項１〜５のいずれか１に記載のブランケット。
【請求項７】
前記ずれ落ち防止部材は、ブランケット本体に着脱可能に設けられていると共に、その取り付け位置を調整可能であることを特徴とする請求項６記載のブランケット。
【請求項８】
前記人体保持具が、だっこ紐、ベビーカー、自動車用のチャイルドシート、子供用の自転車同乗器のいずれかである場合に、それぞれの保持態様に合わせて前記両足をまとめて包み込み可能な折り曲げ状態と前記両足を個別に二股状態で包み込み可能な折り曲げ状態とに使い分けすることを特徴とする請求項１〜７のいずれか１に記載のブランケット。
【請求項９】
前記人体保持具が、だっこ紐、ベビーカー、自動車用のチャイルドシートのいずれかである場合に、前記両足をまとめて包み込み可能な折り曲げ状態で使用され、前記人体保持具が、子供用の自転車同乗器である場合に、前記両足を個別に二股状態で包み込み可能な折り曲げ状態で使用されることを特徴とする請求項８記載のブランケット。
【請求項１０】
さらに、前記ブランケット本体は、該ブランケット本体を折り畳んで携行する際の携行用持ち手を着脱可能な取り付け部を備えており、使用時に該携行用持ち手を取り付けることにより、該携行用持ち手を玩具支持具として利用可能であることを特徴とする請求項１〜９のいずれか１に記載のブランケット。
【発明の詳細な説明】
【技術分野】
【０００１】
本発明は、人体保持具に保持された人を覆うためのブランケットに関し、特に、だっこ（おんぶ）紐、ベビーカー、自動車用のチャイルドシート、自転車同乗器に保持された乳幼児などの子供を覆い、外出時における防寒、防風、防水（雨）用などとして使用されるブランケットに関する。
【背景技術】
【０００２】
特許文献１には、ベビーカーに子供を乗せた際の防寒具、だっこ紐、敷物を兼用可能なおくるみが提案されている。特許文献２には、ベビーカー用の防寒具及び敷物のほか、だっこ（おんぶ）用のブランケットとして使用できるものが開示されている。特許文献３には、周縁にファスナーを設け、２つ折りにして子供を包み、ベビーカーやチャイルドシート用の膝掛けのほか、おくるみとしても使用できる幼児用膝掛けが開示されている。さらに、特許文献４には、股部を備えたオーバーオール型のおくるみが開示されている。
【特許文献１】特開２００４−３０６６号公報
【特許文献２】特開平１０−３１３９８７号公報
【特許文献３】実用新案登録第３０８３５７８号公報
【特許文献４】特開２００２−２０１５０３号公報
【発明の開示】
【発明が解決しようとする課題】
【０００３】
特許文献１に記載されたものは、子供の胴部を包み込む幅広の布部分と、足を包むための幅の狭い布部分とを備えた形状を有し、だっこ紐代わりに使用することを目的としているため、極めて複雑な形状であり、製造コストの点で問題がある。また、ベビーカー用の防寒具として使用する場合、あるいはだっこ紐として使用する場合のいずれにおいても、足を覆う部分の幅が狭いため、脇が開いてしまい、防寒性の点で課題がある。一方、特許文献２には、展開状態で略方形のブランケット（ねんねこ）であるため、形状はシンプルであり、頭部を覆うフードを形作るためのホックも設けられているが、おんぶしたりする際に、足下を包み込む工夫がなされてない。また、特許文献２のものは、ベビーカーでの使用時、だっこでの使用時のいずれの場合も、単に、子供の一方側（腹・胸側又は背中側）から覆うだけで、ずれ落ち対策が施されていないと共に、自転車同乗器など、両足を開いて乗せる必要のある乗物では、足のほとんどの部分がこのブランケットから露出し、十分な防寒機能を果たすことができない。
【０００４】
特許文献３では、二つ折りにして子供の胴部と足をほぼ完全に包むものであるため、ベビーカー用としては防寒性に優れている。しかしながら、胴部と足を完全に包み込んでベビーカーに乗せたりすることは極めて面倒である。また、両足を広げることができないため、両足を開いて乗せる自転車同乗器での使用は不可能であり、ベビーカーやチャイルドシートといった用途に限定される。一方、特許文献４では、股部を備えているため、自転車同乗器での使用も可能であるが、形状が複雑であるため、製造コストが高くなる。また、オーバーオール型であり、いわば、洋服を重ね着させるようなものであるため、天候が変化し、寒さが和らいで不必要になった場合などにおける着せ替えが面倒である。
【０００５】
一方、子供の外出時の乗物（人体保持具）としては、乳児期から幼児期へと成長するに従って、だっこ（おんぶ）紐、ベビーカー、チャイルドシート、自転車同乗器といったように変化する。しかるに、特許文献１〜４に開示された防寒具は、これらの全ての用途に適用することはできず、これらの防寒具を複数種類準備し、用途に応じて使い分けなければならない。しかも、外出時の乗物（人体保持具）が上記のように変化するだけでなく、子供の成長に応じてこれらの防寒具のサイズも変更する必要があるが、特許文献１〜４に開示されたものはいずれも使用サイズが一定であり、人体保持具の種類だけでなく、成長に合わせた買い替えも必要となる。
【０００６】
本発明は上記に鑑みなされたものであり、だっこ（おんぶ）紐、ベビーカー、チャイルドシート、自転車同乗器というように外出時等において子供を保持する人体保持具の種類が変わっても、必要な防寒性（防水性、防風性も含む）を発揮できるように使用時の形状変更が容易に可能であると共に、極めてシンプルな構造で低コストで製造可能な防寒用のブランケットを提供することを課題とする。また、本発明は、これに加え、いずれの使用態様でもずれ落ちにくいブランケットを提供することを課題とする。さらに、本発明では、子供の成長に応じて使用時のサイズ変更が可能なブランケットを提供することを課題とする。
【課題を解決するための手段】
【０００７】
上記課題を解決するため、請求項１記載の発明では、人体保持具に保持された人を少なくとも一方側から覆うブランケットであって、
展開時に略方形をなす形状で形成されたブランケット本体と、
前記ブランケット本体に設けられ、ブランケット本体の適宜位置から折り曲げた際に、その折り曲げ状態を維持する止め部材とを備え、
前記止め部材が、少なくとも、ブランケット本体を折り曲げた際に両足をまとめて包み込み可能な折り曲げ状態と、ブランケット本体を折り曲げた際に両足を個別に二股状態で包み込み可能な折り曲げ状態とを維持可能な位置に設けられ、少なくとも前記２種類の折り曲げ状態を、使用目的に応じて使い分け可能であることを特徴とするブランケットを提供する。
請求項２記載の発明では、前記止め部材は、係止部材と被係止部材とを備えて構成され、いずれか少なくとも一方が各折り曲げ状態に対応して複数箇所に設けられ、各折り曲げ状態毎に、折り曲げ部の折り曲げ幅を調整可能であることを特徴とする請求項１記載のブランケットを提供する。
請求項３記載の発明では、前記両足をまとめて包み込み可能な折り曲げ状態を形成する止め部材が、展開時に略方形のブランケット本体の任意の端縁側に設けられ、該止め部材を形成する係止部材と被係止部材のいずれか一方が、該端縁に沿って設けられ、他方が、該端縁から所定長さ反対側の端縁に寄った位置に対応して設けられていることを特徴とする請求項１又は２記載のブランケットを提供する。
請求項４記載の発明では、前記両足を個別に二股状態で包み込み可能な折り曲げ状態を形成する止め部材は、該止め部材を形成する係止部材と被係止部材のいずれか一方が、展開時に略方形のブランケット本体の任意の端縁側において、各端部からそれぞれ該端縁に沿って所定長さ中央側に寄った位置に２カ所設けられ、他方が、該端縁に隣接する２つの端縁の一端からそれぞれの端縁に沿って所定長さ中央側に寄った位置に設けられており、
前記任意の端縁側に２カ所に設けられた係止部材と被係止部材のうちの一方と、隣接する２つの端縁側にそれぞれ設けた他方とを、隣接するもの同士で互いに係合させることにより二股の折り曲げ状態を形成可能であることを特徴とする請求項１〜３のいずれか１に記載のブランケットを提供する。
請求項５記載の発明では、各折り曲げ状態毎に、使用する前記止め部材を区別する識別手段が施されていることを特徴とする請求項１〜４のいずれか１に２記載のブランケットを提供する。
請求項６記載の発明では、前記ブランケット本体の使用時における上部付近に、前記人体保持具の任意部位に係合可能なずれ落ち防止部材を備えていることを特徴とする請求項１〜５のいずれか１に記載のブランケットを提供する。
請求項７記載の発明では、前記ずれ落ち防止部材は、ブランケット本体に着脱可能に設けられていると共に、その取り付け位置を調整可能であることを特徴とする請求項６記載のブランケットを提供する。
請求項８記載の発明では、前記人体保持具が、だっこ紐、ベビーカー、自動車用のチャイルドシート、子供用の自転車同乗器のいずれかである場合に、それぞれの保持態様に合わせて前記両足をまとめて包み込み可能な折り曲げ状態と前記両足を個別に二股状態で包み込み可能な折り曲げ状態とに使い分けすることを特徴とする請求項１〜７のいずれか１に記載のブランケットを提供する。
請求項９記載の発明では、前記人体保持具が、だっこ紐、ベビーカー、自動車用のチャイルドシートのいずれかである場合に、前記両足をまとめて包み込み可能な折り曲げ状態で使用され、前記人体保持具が、子供用の自転車同乗器である場合に、前記両足を個別に二股状態で包み込み可能な折り曲げ状態で使用されることを特徴とする請求項８記載のブランケットを提供する。
請求項１０記載の発明では、さらに、前記ブランケット本体は、該ブランケット本体を折り畳んで携行する際の携行用持ち手を着脱可能な取り付け部を備えており、使用時に該携行用持ち手を取り付けることにより、該携行用持ち手を玩具支持具として利用可能であることを特徴とする請求項１〜９のいずれか１に記載のブランケットを提供する。
【発明の効果】
【０００８】
本発明のブランケットは、展開時に略方形をなす形状で形成されたブランケット本体を備え、止め部材により、少なくとも、両足をまとめて包み込み可能な折り曲げ状態と、両足を個別に二股状態で包み込み可能な折り曲げ状態とを維持可能な構造となっている。従って、両足をまとめて包み可能な折り曲げ状態で使用すれば、だっこ（おんぶ）紐、ベビーカー又はチャイルドシートにおいて、胴部から足下までを確実に被覆でき、防寒性に優れている。また、両足を個別に二股状態で包み込み可能な折り曲げ状態で使用することにより、各足をそれぞれ被覆できるため、両足を開いて乗せる自転車同乗器でも十分な防寒性を発揮できる。すなわち、本発明によれば、このように姿勢が異なっても、それぞれに対応して十分な防寒性を機能させることができる。しかも、ブランケット本体の形状は、略方形であり、これに止め部材が設けられているだけの簡易な構成であるため、製造コストも低い。
【０００９】
また、ずれ落ち防止部材を備えた構造とすることにより、かかるずれ落ち防止部材を人体保持具の任意の部位に係合させるだけでずれ落ちを防止でき、防寒性が損なわれることを低減できる。
【００１０】
また、止め部材を構成する係止部材と被係止部材のいずれか少なくとも一方を複数設け、係止する位置を変えることにより、折り曲げ幅を変更可能な構成としたり、ずれ落ち防止部材のブランケット本体への取り付け位置を変更可能な構成としたりすることにより、子供の成長に応じて実質的に使用サイズを変更でき、防寒用のブランケットを必要とする成長期間中、長期に亘り１枚のブランケットで対応でき、経済的負担が少なくて済む。
【発明を実施するための最良の形態】
【００１１】
以下、図面に示した実施形態に基づいて本発明を更に詳しく説明する。図１は本実施形態に係るブランケットの展開状態の平面図であり、図２は斜視図である。これらの図に示したように、本実施形態のブランケットは、ブランケット本体１、ずれ落ち防止部材２、止め部材３，４、携行用持ち手５等を備えて構成される。
【００１２】
ブランケット本体１は、展開状態で略方形をなす形状で形成され、人体保持具に保持されている人（子供）を少なくとも一方側から覆うように使用される。少なくとも一方側とは、人体保持具に保持されている人（子供）の状態に応じ、腹・胸側又は背中側のいずれかから覆うことができると共に、他方側まで覆う場合も含む意味である。大きさとしては、人体保持具に保持されている人（子供）の少なくとも腹部を覆うことができ、好ましくは子供の首辺りまで覆うことができる一方で、だっこ（おんぶ）紐、ベビーカー又はチャイルドシートにおいて使用する場合には、足裏まで包み込むことができ、自転車同乗器のように二股状態で使用する場合には、少なくとも脛付近あるいはくるぶし付近まで覆うことができる大きさを備えていることが好ましい。乳児から幼児までできるだけ長く本実施形態のブランケットを使用でき、かつ、上記要件を満たすブランケット本体１の大きさとしては、縦８０〜１２０ｃｍの範囲、横５５〜８５ｃｍの範囲の略長方形であることが好ましい。より好ましくは、縦９０〜１１０ｃｍの範囲、横６５〜７５ｃｍの範囲であり、最も好ましくは、縦１００ｃｍ、横７０ｃｍである。
【００１３】
ブランケット本体１の素材は、防寒性、防水性、防風性を備えるものであれば何であっても良いが、例えば、裏地として防寒性に優れるフリース等を用い、表地として防水加工を施した布地（防水性ナイロンなど）を用いた構成とすることができる。
【００１４】
ずれ落ち防止部材２は、先端にクリップを備えた紐部材からなり、使用状態でブランケット本体１の上部付近に位置する各側縁に一端が着脱可能に設けられる。例えば、ずれ落ち防止部材２を構成する紐部材の基端部に、嵌合部材としてスナップボタンの凹ボタン（クリップ取付スナップ凹）２ａを取り付け、ブランケット本体１の各側縁に被嵌合部材としてスナップボタンの凸ボタン（クリップ取付スナップ凸）２ｂを設け、両者を嵌合させることで、ずれ落ち防止部材２を着脱可能に取り付けることができる。被嵌合部材としてのクリップ取付スナップ凸２ｂの取付位置は、例えば、使用状態での上端縁１ｄから各側縁１ｅ，１ｆに沿って１０〜２０ｃｍ程度、好ましくは１５ｃｍ前後、中央側に寄った位置に取り付けられる。ずれ落ち防止部材２の先端クリップを人体保持具に係合させた際、例えば、だっこ紐に係合させた際に、ブランケット本体１において該ずれ落ち防止部材２が連結された位置から上部の１０〜２０ｃｍ程度の範囲を折り曲げて使用することにより、クッション性、保温性を高めることができる。
【００１５】
ずれ落ち防止部材２をブランケット本体１に取り付けるための被嵌合部材としては、上記クリップ取付スナップ凸２ｂのほかに、該クリップ取付スナップ２ｂに対して各側縁に沿って所定間隔（例えば、５〜１０ｃｍ）離間した位置に、調整用クリップ取付スナップ凸２ｂ’を設けることが好ましい。図１においては、上記クリップ取付スナップ凸２ｂよりも中央側に寄った位置に調整用クリップ取付スナップ凸２ｂ’を各側縁１ｅ，１ｆに一つずつ設けているが、複数個ずつであってもよいし、上記クリップ取付スナップ凸２ｂよりも上部側に寄った位置に設けてもよい。調整用クリップ取付スナップ凸２ｂ’を設けることにより、ずれ落ち防止部材２の取付可能位置が各側縁１ｅ，１ｆ毎に少なくとも２カ所になるため、用途に合わせてずれ落ち防止部材２の取付位置を調整できると共に、子供の成長に合わせて調整することもでき、本実施形態のブランケットの長期に亘る使用を可能にする。
【００１６】
止め部材３，４は、いずれも係止部材と被係止部材との組み合わせからなり、ブランケット本体１を、子供の両足をまとめて包み込み可能な折り曲げ状態と、両足を個別に二股状態で包み込み可能な折り曲げ状態との２種類の形態を形成する機能を果たす。本実施形態においては、一方の止め部材３が前者の状態を、他方の止め部材４が後者の状態を形成するために使用される。
【００１７】
一方の止め部材３は、上記したずれ落ち防止部材２が取り付けられる上部と反対側の端縁１ｇ（使用時に下部となる）側に設けられ、係止部材としてのスナップボタンの凹ボタン（スナップ凹）３ａが、該端縁から反対側の端縁に向かって所定長さ（例えば、３０〜４０ｃｍ程度）寄った位置に、幅方向に等間隔で３カ所（各側縁１ｅ，１ｆ付近と中央付近）に設けられている。同様に、被係止部材としてのスナップボタンの凸ボタン（スナップ凸）３ｂが、該端縁１ｇに沿って幅方向に等間隔で３カ所に設けられている。従って、スナップ凹３ａとスナップ凸３ｂとの中途で二つ折りにし、両者を嵌合させることにより、当該部分が袋状となる。この袋状となった部分に、子供の両足を挿入させることで、両足が足裏も含めて被覆される。
【００１８】
他方の止め部材４は、本実施形態においては、ブランケット本体１の長手方向に沿った一の端縁１ｆにおいて、各端部からそれぞれ該端縁１ｆに沿って所定長さ（例えば、２０〜３０ｃｍ程度）中央側に寄った位置に互いに所定間隔をおいて２カ所に設けた被係止部材を構成するスナップボタンの凸ボタン（スナップ凸）４ｂと、該端縁１ｆに隣接する２つの端縁１ｄ，１ｇの一端からそれぞれの端縁１ｄ，１ｇに沿って所定長さ（例えば、２０〜３０ｃｍ程度）中央側に寄った位置に設けた係止部材を構成するスナップボタンの凹ボタン（スナップ凹）４ａとの組み合わせから構成される。そして、例えば、図２において左側に位置する隣接する一方のスナップ凸４ｂとスナップ凹４ａ同士、図２において右側に位置する隣接する他方のスナップ凸４ｂとスナップ凹４ａ同士をそれぞれ嵌合させることにより、図３（ｂ）に示したように、それぞれに足を挿通可能な被覆部が２つ形成され、二股状態となる。
【００１９】
ここで、子供の両足をまとめて包み込み可能な折り曲げ状態を形成するための一方の止め部材３を構成する各スナップ凹，凸３ａ，３ｂと、両足を個別に二股状態で包み込み可能な折り曲げ状態を形成するための他方の止め部材４を構成する各スナップ凹，凸４ａ，４ｂとは、使用すべき止め部材３，４の混同を防止し、用途に応じて速やかに選択できるようにするため、互いに色分けしておくことが好ましい。なお、この色分けは、使用すべき止め部材３，４の識別を果たすためであり、識別手段はこれに限定されるものではなく、例えば、止め部材３，４を構成するボタンの種類や大きさを変えたりする手段等を採用することもできる。
【００２０】
また、一方の止め部材３を構成する各スナップ凹，凸３ａ，３ｂと他方の止め部材４を構成する各スナップ凹，凸４ａ，４ｂとは、図においては、いずれも特定の位置に設けられているのみであるが、例えば、スナップ凹３ａ，４ａ、スナップ凸３ｂ，４ｂのいずれか少なくとも一方を、位置を異ならせて複数設けることもできる。これにより、一方の止め部材３を使用して袋状の被覆部を形成する場合の該被覆部の大きさあるいは形成位置を変更でき、また、他方の止め部材を使用して各足を挿通可能な２つの被覆部を形成する場合の該被覆部の大きさあるいは形成位置を変更でき、子供の成長に合わせて調整することが可能となる。
【００２１】
携行用持ち手５の取付位置は任意であり、ブランケット本体１を適宜に折り畳んだ際に握りやすい位置に取り付ければよい。本実施形態におていは、ブランケット本体１の表面（ブランケット表１ａ）の中央から上下にそれぞれ１５ｃｍ程度離間させて一対の帯状ないしはひも状のものを取り付けている。また、各持ち手５の各端部間の間隔は約１０ｃｍ程度としている。これにより、図６に示したように、例えば、１／２４に折り畳むと、コンパクトな状態で容易に持ち運ぶことが可能となる。各持ち手５をブランケット本体１に着脱可能に取り付ける手段は限定されるものではないが、本実施形態では、各持ち手５にスナップボタンの凹ボタン（持ち手取付スナップ凹）５ａを配置し、これに嵌合する取り付け部となる凸ボタン（持ち手取付スナップ凸）５ｄをブランケット表１ａに配置して、ブランケット本体１に取付可能にしている。なお、取り付け部となる持ち手取付スナップ凸５ｄは、上記止め部材３，４との混同を防止するため、着色などの識別手段を施すことが好ましい。
【００２２】
また、一対の持ち手５，５を互いに接続可能にしておくことで持ちやすくなることから、適宜の接続手段を用いて両者を接続可能にしておくことが好ましい。本実施形態では、上記と同様にスナップボタンを用い、一方の持ち手５に凹ボタン（持ち手合わせスナップ凹）５ｃを配置し、他方の持ち手５に凸ボタン（持ち手合わせスナップ凸）５ｄを配置している。
【００２３】
本実施形態のブランケットは次のように使用する。
まず、だっこ（おんぶ）紐６を使用して子供を保持している場合は、子供の背中側から覆い、図４（ａ）に示したように、一方の止め部材３を構成するスナップ凸３ｂとスナップ凹３ａとの中途で折り曲げ、該スナップ凸３ｂとスナップ凹３ａとを係合させて図３（ａ）に示したように袋状に形成する。子供の両足をこの袋状に形成した折り曲げ部分に挿入して保護する。また、ずれ落ち防止部材２を、ブランケット本体１に設けたクリップ取付スナップ凸２ｂ又は調整用クリップ取付スナップ凸２ｂ’に連結し、先端のクリップをだっこ紐６に連結する。この際、ずれ落ち防止部材２を取り付けるクリップ取付スナップ２ｂ，２ｂ’を選択することにより、子供の体格に合わせて調整することができる。なお、ずれ落ち防止部材２を取り付けた位置よりも上の部分は、ブランケット裏１ｂ側へ折り返しておく。
【００２４】
ベビーカー７や自動車のチャイルドシート８に子供を乗せる場合も、基本的には、上記と同様であり、子供の腹・胸側から覆って、一方の止め部材３を用いて袋状の折り曲げ部分を形成し、子供の両足を当該部分に挿入させて保護すると共に、ずれ落ち防止部材２をベビーカー７やチャイルドシート８の適宜部位に連結して使用する（図４（ｂ）及び図５（ａ）参照）。
【００２５】
一方、子供を自転車同乗器９に乗せる場合には、図５（ｂ）に示したように、子供の腹・胸側から覆って、他方の止め部材４を利用する。自転車同乗器９に子供を乗せた場合には、両足が開いた状態になるため、上記のような一方の止め部材３を使用して袋状の折り曲げ状態を形成したのでは、乗せることができない。そこで、自転車同乗器９に乗っている子供の各足を個別に包み込むようにして、他方の止め部材４を構成する隣接する他方のスナップ凸４ｂとスナップ凹４ａ同士を図３（ｂ）に示したようにそれぞれ係合させる。これにより、二股の２つの袋状の被覆部が個別に形成されることになり、各足を確実に包み込むことができる。止め部材４を使用して二股の折り曲げ状態とする場合、止め部材３を使用する際と上下方向が異なり、長手方向が横になる。このため、上記したずれ落ち防止部材２を使用することはできない。しかしながら、長手方向が横になるため、子供と自転車同乗器９との間に余剰部分を挟み込むことでずれ落ちを防止できる。もちろん、例えば端縁１ｄ，１ｇにも上記と同様のずれ落ち防止部材を取り付け可能とし、自転車同乗器９の任意部位にかかるずれ落ち防止部材を連結する構造とすることもできる。
【００２６】
なお、上記した携行用持ち手５は、ベビーカー７や自転車同乗器９等においてブランケットを使用している場合にはブランケット本体１に取り付けている必要はないが、取り付けておくことにより、該携行用持ち手５にマスコット人形やおもちゃなどの種々の玩具を支持させることもでき、該携行用持ち手５を玩具支持具として利用することも可能である。
【００２７】
以上のように、本実施形態によれば、略方形の一枚のブランケットでありながら、各止め材３，４の配設位置を特定の位置とすることにより、両足をまとめて包み込むことができる袋状の折り曲げ状態と、各足を個別に保護できる二股の折り曲げ状態とに容易に変形することができる。また、ずれ落ち防止部材２や各止め部材３，４の固定位置を調整できる構成とすることにより、子供の体格に合った使用が可能となる。従って、子供の外出に利用する種々の人体保持具に利用可能で、適用範囲が広いと共に、長期に亘り使用することができる。
【００２８】
なお、上記説明においては、各止め部材３，４、ずれ落ち防止部材２のブランケット本体１への取付手段、携行用持ち手５のブランケット本体１への取付手段として、スナップボタンを利用しているが、嵌合接続時において簡単に外れてしまうものでなければ、他のボタンやホックなどを利用できることはもちろんである。また、ボタン程度の大きさに形成された面ファスナーを用いることもできる。また、上記実施形態では、自転車同乗器に乗せる場合に、二股の折り曲げ状態としている。自転車同乗器の場合には、二股の折り曲げ状態とする必要があることはもちろんであるが、ベビーカーなどに乗せる場合にも、必要に応じてかかる二股の折り曲げ状態で使用することも可能である。さらに、上記した説明では、だっこ（おんぶ）紐、ベビーカー、チャイルドシート、自転車同乗器に本発明のブランケットを利用する場合について説明している。通常、乳児期から幼児期までの子供用の外出時の乗物としては多くの場合これらに限定されるため、これらの用途に適用できれば十分であるが、これら以外の人体保持具、例えば、車いすなどに保持された人（特に、子供）に適用することも可能である。
【００２９】
また、本発明のブランケットは、止め部材３，４を使用せず、折り曲げない状態においては単なる方形状をなしている。従って、膝掛け、おむつ替え時の敷物、あるいは睡眠時の毛布などとして使用することももちろん可能である。
【図面の簡単な説明】
【００３０】
【図１】本発明の一の実施形態に係るブランケットの平面図である。
【図２】上記実施形態に係るブランケットの分解斜視図である。
【図３】（ａ）は、上記実施形態に係るブランケットにおいて、一方の止め部材を利用して一方の折り曲げ状態とする手段を説明するための図であり、（ｂ）は、他方の止め部材を利用して他方の折り曲げ状態とする手段を説明するための図である。
【図４】（ａ）は、だっこ紐に上記実施形態のブランケットを使用した状態を示す図であり、（ｂ）は、ベビーカーに上記実施形態のブランケットを使用した状態を示す図である。
【図５】（ａ）は、自動車用のチャイルドシートに上記実施形態のブランケットを使用した状態を示す図であり、（ｂ）は、自転車同乗器に上記実施形態のブランケットを使用した状態を示す図である。
【図６】上記実施形態のブランケットを折り畳んで持ち運ぶ状態を示す図である。
【符号の説明】
【００３１】
１  ブランケット本体
２  ずれ落ち防止部材
３，４  止め部材
５  携行用持ち手
【図１】
2005290653.tif 000003
【図２】
2005290653.tif 000004
【図３】
2005290653.tif 000005
【図４】
2005290653.tif 000006
【図５】
2005290653.tif 000007
【図６】
2005290653.tif 000008